(57)【要約】  本発明は、連絡先および他の個人情報を転送する方法に関する。技術的な結果は、オペレーションスピードを向上させることである。個人情報を送信する方法には、生体認証データを読み取るためのセンサーを備えたモバイルデバイスを使用してユーザーから受信することが含まれる、または、生体認証データ、ユーザーの連絡先情報、およびユーザーの生体認証データを読み取るためのセンサーを備えたコンピューターを備えた専用の登録ポイントを使用して、連絡先情報を生体認証データにリンクする、これによりサーバー上のデータベースに前述のユーザーを登録し、別のユーザーに属するモバイルデバイスから開始された登録ユーザーの生体認証データを含む要求の後、サーバーによって、このモバイルデバイスへの生体認証データを所有するユーザーの連絡先およびその他の個人情報の自動的に提供される。【特許請求の範囲】
【請求項１】
生体認証データ読み取りセンサーを備えたモバイルデバイスを使用して、または生体認証データ読み取りセンサーを備えたコンピューターを装備した登録ポイントを使用して、連絡先情報、生体認証データがユーザーから最初に取得され、次に、サーバー上にあるデータベースに前述のユーザーを登録し、連絡先情報を生体認証データにリンクし、さらに、別のユーザーに属するモバイルデバイスから開始された登録済みユーザーの生体認証データを含む要求の後、サーバーを使用して、生体認証データにあたるユーザーの連絡先情報をこのモバイルデバイスに自動的に提供する、
個人情報の転送方法。
【請求項２】
連絡先情報に加えて生体認証データに他の個人情報もリンクし、ユーザーによって提供された連絡先情報と個人情報などが別のユーザーのモバイルデバイスに提供する為に、登録されたユーザーの生体認証データを含むモバイルデバイスからの要求が必要である、
請求項１に記載の個人情報の転送方法。
【請求項３】
他のユーザーが、各登録ユーザーに関する個人情報を補足できる、
請求項１に記載の個人情報の転送方法。
【請求項４】
提供された連絡先情報は、モバイルデバイスのメモリ、ソーシャルネットワーク、またはメッセンジャーの連絡先データベースに自動的に保存る、
請求項１に記載の個人情報の転送方法。
【請求項５】
提供された個人情報は、モバイルデバイス、ソーシャルネットワーク、またはメッセンジャーの連絡先のデータベースのメモリに自動的に保存される
請求項２に記載の個人情報の転送方法。
【請求項６】
登録ユーザーが自分自身について、または他のユーザーが前述のユーザーについての個人情報を補足する場合、登録ユーザーの連絡先情報が存在するすべてのモバイルデバイスに追加の個人情報が自動的に更新される
請求項２に記載の個人情報の転送方法。
【請求項７】
さまざまなモバイルネットワーク、ソーシャルネットワーク、インスタントメッセンジャーの識別子はモバイルデバイスに自動的に送信される連絡先情報はユーザーから隠され、上記の識別子ではない他の個人情報はモバイルデバイスのユーザーから隠されない、
請求項２に記載の個人情報の転送方法。
【請求項８】
登録ユーザーのデータを保存するサーバー上でこのユーザーが識別されるユーザーＩＤを１つだけ含む個人情報と連絡先情報をモバイルデバイスに自動的に転送し、このユーザーの他のすべての識別子は前述のサーバーに保存され、さらに、このユーザーと他のユーザーとの通信は、サーバーに保存されている識別子を使用してサーバーによって実行される、
請求項７に記載の個人情報の転送方法。
【請求項９】
ユーザーのモバイルデバイスには、ユーザーのモバイルデバイスのいずれかの連絡帳にある登録ユーザーのデータを転送および受信する機能が提供され、通信プロトコルは転送プロセスに関与するユーザーデバイスによってサポートされる、
請求項７に記載の個人情報の転送方法。
【請求項１０】
登録ユーザーのモバイルデバイスの連絡先にある一人の登録ユーザーのデータをモバイルデバイスから別のモバイルデバイスに転送する前に、送信されるデータに含まれる情報にあたる登録ユーザー宛へリクエストを開始し、登録ユーザーによる送信されるデータに含まれる情報の送信の許可または禁止の応答を生成し、上記のデータを送信する許可を含む応答の後にのみ、あるモバイルデバイスから別のモバイルデバイスにデータを転送する機能を提供する、
請求項９に記載の個人情報の転送方法。
【請求項１１】
ユーザーのモバイルデバイスの連絡先帳にある登録ユーザーのデータを、あるモバイルデバイスから別のモバイルデバイスに転送する前に、データの送信先のモバイルデバイスを決定するために、データを送信するモバイルデバイスはデータの送信先のモバイルデバイスの所有者の生体認証データを読み取ることができる、
請求項１０に記載の個人情報の転送方法。
【請求項１２】
告知または掲示板を通じて個人情報を送信する場合、登録ユーザーに関する個人情報は、特定の有効期限を持つ一時的な識別子の形式で送信され、永続的な識別子は、永続的な識別子を所有しているユーザーの許可後にのみ送信される、
請求項７に記載の個人情報の転送方法。
【請求項１３】
ユーザーには、サーバーに保存されている連絡先やその他の個人データへのアクセスをブロックする機能が提供され、さらに、以前に前述のユーザーの連絡先情報やその他の個人情報がモバイルデバイスに送信された他の個々のユーザーのアクセスはブロックされる、
請求項８に記載の個人情報の転送方法。
【請求項１４】
生体認証データを読み取るためのセンサーを備えたパーソナルコンピューターおよびサーバー上にある商業組織のデータベースに、上記の組織のクライアントであるユーザーの個人データを登録ユーザーの生体認証データを含むサーバー宛のリクエスト後に登録ユーザーの連絡先やその他の個人データをサーバーに自動的に受信し、保存する機能を提供する、
請求項１又は２に記載の個人情報の転送方法。
【請求項１５】
登録時に、ユーザーはモバイルデバイスで連絡先やその他の個人情報をグループ化し、さらに必要に応じて転送する情報量を選択し、転送する機能が与えられ、または、異なる生体認証データに、ユーザー自身に関する異なる量の情報をリンクし、将来的には、連絡先やその他の個人情報を転送するときに、適切な量の転送のために対応する情報が添付された生体データを提供することにより、他のユーザーがどの程度どのような情報を受け取るかを決定し、または、モバイルデバイスで適切な情報を選択して、適切な量で送信する、
請求項１又は２に記載の個人情報の転送方法。
【発明の詳細な説明】
【技術分野】
【０００１】
本発明は、コンピュータネットワークの分野、特にモバイル技術に関する発明である。より具体的には、本発明は連絡先および他の個人情報を送信する方法に関する。
【背景技術】
【０００２】
現在連絡先データの転送と交換では電話番号、メッセンジャーのID、ソーシャルネットワークなどの連絡先データを記録および保存するために複数のアクションを実行するのが慣習となっている。 
【０００３】
既知方法としては「ユーザーが入力した電話番号に基づいて電話ユーザーにデータを提供するシステムおよび方法」US 2006/0099931、H04L 12/58、11.06.2006、があり、この方法では、ユーザーから電話番号を受け取り、ユーザーの電話番号と表示データに基づき、遠隔地から自動的にユーザーのデータを受信する。この場合、携帯電話番号を使用したインターネットサイトへの切り替えに基づき実行される。
【０００４】
また、「Webページに移動してメッセンジャープログラムを実行する方法」も知られている。 RU 2015/103099, H04W 8/18 30.01.2015、では、どのモバイルデバイスでインターネットへのアクセスを有するプログラムをインストールブラウザまたはメッセンジャーとして機能し、ダイヤルフィールドは特定のコマンドの入力フィールドとして使用され、文字はダイヤルフィールドに入力され、入力された文字の組み合わせが確認され、コマンド検証システムを使用して、データベース内の特定のコマンドの存在が自動的にチェックされる、コマンドがある場合は：
チームに関連付けられているWebサイトのアドレスに対応するインターネットからの情報を自動的に表示する、または
インターネット接続を介して、コマンドに対応する特定のサブスクライバーに自動的に接続する、
同時に、入力された文字をさらに検証するために、文字または文字の特定の組み合わせをWebページまたはメッセンジャー機能の特定のアドレスにバインドすることにより、コマンドがデータベースに事前に入力され、すべてのコマンドはコマンド検証システムを使用して指定されたデータベースに保存される、さらに、コマンドデータベースは完全にサーバーまたは特定のデバイスに、または部分的にサーバーに、部分的に特定のデバイスに配置され、個々のデバイスにそれぞれの部分のデーターへのアクセスが提供される。
【０００５】
これらの方法は、個人情報の交換には便利だが、欠点がある。連絡先情報を表す文字またはコマンドの入力には、連絡先情報の転送または交換のプロセス全体からかなりの時間がかかる。
【０００６】
開発者が設定したタスクとは、個人情報を送信する新たな方法であり、類似物と比較して、連絡先データやその他の個人情報の転送に費やす時間を短縮する方法を開発することである。
【０００７】
提案された個人情報の転送方法の技術的結果は、連絡先やその他の個人情報の転送速度を上げることである。モバイルデバイスで利用可能な個人情報の自動追加、連絡先がデバイスに保存されている他のユーザーのアクティビティについてユーザーに通知する、連絡先およびその他の個人情報の転送、ならびにその情報量の管理、オンラインサイト等に記載されている広告の有効性が失われた後の削除時間の節約、サーバーに保存されている連絡先やその他の個人データへのアクセスをブロックする機能等である。
【発明の開示】
【０００８】
個人情報の転送方法の本質は、ユーザーから提供された連絡先情報とユーザーに属する生体認証データに基づいて、ユーザーデータベースに登録し、ユーザーの連絡先情報を生体認証データとリンクし、その後、生体認証情報が登録されたユーザーのモバイルデバイスで生体認証データに基づいてリクエストが開始されることで、このモバイルデバイスに生体認証データを所有するユーザーの連絡先情報を自動的に提供することである。
【０００９】
連絡先情報に加えて、ユーザーが提供する他の個人情報も生体認証データに関連付けられ、登録ユーザーの生体認証データを含むモバイルデバイスからの要求後に提供される。
【００１０】
各登録ユーザーに関する個人情報は、他のユーザーが補足できる。
【００１１】
提供された連絡先およびその他の個人情報は、モバイルデバイスのメモリ、ソーシャルネットワーク、またはメッセンジャーの連絡先データベースに自動的に保存される。
【００１２】
新規ユーザーを登録する際、連絡先およびその他の個人情報と生体データは、生体データを読み取るためのセンサー類を備えたユーザーの個人用モバイルデバイスを使用して取得される。
【００１３】
登録ユーザー自身または他のユーザーによって個人情報が補足される場合、追加の個人情報は、登録ユーザーの連絡先情報が存在するすべてのモバイルデバイスに自動的に転送される。
【００１４】
生体認証データを読み取る事のできるセンサー類を備えているモバイルデバイスから登録ユーザーの生体認証データの要求を開始し、登録ユーザーから生体認証データを読み取ることにより、登録ユーザーの生体認証データを取得する事が可能である。
【００１５】
また、ユーザーのモバイルデバイスには、登録されたユーザーの生体認証データを相互に送受信する機能が提供される。
【００１６】
モバイルデバイスには、登録済みのユーザー生体認証データを１つのモバイルデバイスから別のモバイルデバイスに転送する前に、送信された生体認証データを所有する登録ユーザー宛てのリクエストを開始し、前述の生体認証データの送信許可については、送信された生体認証データを所有する前述の登録ユーザーによる応答を生成する、上記のデータの送信を許可または禁止を選択する、また前述の生体認証データを送信する許可を含む応答の後にのみ、１つのモバイルデバイスから別のモバイルデバイスに生体認証データを送信できる。
【００１７】
１つのモバイルデバイスから別のモバイルデバイスへ生体認証データを転送する前に、生体認証データが送信されるモバイルデバイスを決定し、生体認証データを送信するモバイルデバイスは生体認証データが送信されるモバイルデバイスの所有者の生体認証データを読み取ることもできる。
【００１８】
掲示板や広告を通じて個人情報を送信する場合、登録ユーザーの個人情報は特定の有効期限を持つ一時的な識別子の形式で送信され、永続的な識別子の場合は、永続的な識別子が属するユーザーの許可後にのみ送信される。
【００１９】
ユーザーの個人データを保存する生体認証データを読み取るためのセンサーを備えたパーソナルコンピューターおよびサーバーにあるデータベースには、登録ユーザーの生体認証データを含む要求後に個人情報を自動的に受信する機能が提供される。
【発明を実施するための形態】
【００２０】
個人情報を送信する本発明の方法は以下の通りである。
【００２１】
請求された方法の実現のために、連絡先などの個人情報や登録のための生体情報をユーザーに要求する。
【００２２】
次に、ユーザーはデータベースに登録され、電話番号、住所、インスタントメッセンジャーの識別子、ソーシャルネットワークなどの連絡先情報と、姓、名、ミドルネーム、職場、趣味などの個人情報が、前述のユーザーに属する指紋、音色、網膜などが生体認証データにリンクされる。
【００２３】
データベースはサーバー上に保存されている。
【００２４】
ユーザー登録は、専用の登録ポイントで行うことができ、又は必要な情報を要求するユーザーのモバイルデバイスを使用して自動的に行うことができる。
【００２５】
ユーザーのモバイルデバイスを使用して登録するには、モバイルデバイスは、ユーザーに個人情報を要求し、サーバーと通信するための適切なソフトウェアと、生体データを読み取ることができるセンサーを装備している必要がある。
【００２６】
このようなセンサーの役割は、たとえば、指紋スキャナーによって実行されることも可能である。
【００２７】
連絡先やその他の個人情報の転送のためのユーザー登録後、登録ユーザーは、個人情報が添付されている生体認証データを別のユーザーに提供する、たとえば、登録ユーザーの個人情報が転送されるユーザーのモバイルデバイスのセンサーを使用して指紋を置く事で読み取る。
【００２８】
生体認証データを読み取るモバイルデバイスには、サーバーと通信するための適切なソフトウェアが必要である。
【００２９】
生体認証データを受信した後、モバイルデバイスは、登録済みユーザーのデータベースを含むサーバーに要求を送信する。
【００３０】
さらに、登録ユーザーの生体データを含むサーバーにリクエストを送信したモバイル機器は、前述の登録ユーザーの連絡先およびその他の個人情報を受信する。ユーザーが、モバイルデバイスで登録ユーザーの連絡先やその他の個人情報を受け取ったりユーザーも登録されている場合、この場合はサーバーからの自動要求がモバイルデバイスに送信され、ユーザーの個人情報を生体認証データを提供したユーザーのモバイルデバイスに転送する許可が求められる。
【００３１】
したがって、ユーザーが要求を確認すると、連絡先と個人情報が交換され、拒否の場合は、１人のユーザーのみが、生体データを提供したユーザーの連絡先とその他の個人情報を受け取る。
【００３２】
データベースから受信した連絡先やその他の個人情報は、モバイルデバイスの連絡帳、ソーシャルネットワーク、メッセンジャーの連絡先に自動的に保存できる。保存する前に、受信した情報を編集できるように確認が必要になる場合がある。この方法は、さまざまなネットワークおよびインスタントメッセンジャーの電話番号やその他の識別子を、これらの識別子が属するユーザーを含むユーザーから隠す機能を提供する。
【００３３】
識別子はあるが、この情報はデバイス内にあり、隠されている。したがって、他の人の連絡先を許可をもらわずに転送することはできず、たとえば、誰もユーザーの電話番号を知らないため、許可なしに電話番号を送信することもできない。
【００３４】
連絡先ではないユーザーに関する名前などの情報は非表示にはならない。機能を拡張するに、他ユーザーの連絡先情報やその他の個人情報を他の登録ユーザーに転送することも可能である。
【００３５】
これを行うには、モバイルデバイスのソフトウェアに適切な機能を持っている事を前提としている。
【００３６】
プロセスに参加するすべてのモバイルデバイスには、生体認証データを読み取ることができるセンサーがあり、生体認証データを保存するサーバーと接続しており、モバイルデバイスのユーザーは、個人情報を保存するデータベースに登録してある事が必要である。
【００３７】
たとえば、ユーザーＡが近くにいないユーザーＢの連絡先やその他の個人情報をユーザーＣに転送する場合、次のアクションが実行される：ユーザーＡはモバイルデバイスの連絡先帳でユーザーＢを見つける。次に、モバイルデバイスで提供される「連絡先の転送」機能をクリックする。
【００３８】
モバイルデバイスは、ユーザーＢの連絡先およびその他の個人情報を転送する必要があるユーザーを尋ね、ユーザーＢの連絡先およびその他の個人情報の転送先となるユーザーの連絡帳で選択することを提案する、したがって、ユーザーＡは連絡先およびその他の個人情報の受信者をユーザーＣと選択する、または、ユーザーＣがユーザーＡのモバイルデバイスの連絡帳にない場合、ユーザーＢの連絡先およびその他の個人情報の受信者を選択する為、モバイルデバイスはユーザーＢの連絡先やその他の個人情報の送信先であるユーザーの生体認証データの読み取りを提案する。
【００３９】
指紋などの生体認証データを読み取る必要がある場合、連絡先やユーザーＢのその他の個人情報を受け取りたいユーザーＣは、ユーザーＡのモバイルデバイスの指紋スキャナーに自分の個人情報が添付されている指紋を置く。
【００４０】
ユーザーＡのモバイルデバイスは、ユーザーＣの生体認証データを受信又はモバイルデバイスの連絡先帳からユーザーＣに関するデータを使用して、ユーザーＣの識別データまたは生体認証データと、連絡先や転送するその他の個人情報に関するユーザーＢの識別データを含む要求をサーバーに送信する。
【００４１】
サーバーは要求を受信し、この要求を作成したユーザーＡのモバイルデバイスも認識する。
【００４２】
次に、ユーザーＢのモバイルデバイスに、連絡先やその他の個人情報をユーザーＡが送信を希望していると、サーバーがリクエストをユーザーＢ宛に作成する。ユーザーＢ宛てのサーバーリクエストには、ユーザーＡが連絡先およびその他の個人情報をユーザーＣに転送する情報と連絡先およびその他の個人情報の転送を確認または拒否する機能が含まれる。
【００４３】
ユーザーＢが連絡先やその他の個人情報を送信されたくない場合、ユーザーＢは要求を拒否し、連絡先やその他の個人情報の転送はキャンセルされる。
【００４４】
ユーザーＢがユーザーＣへの連絡先およびその他の個人情報の転送に同意した場合、ユーザーＢは転送を確認し、ユーザーＣはユーザーＢの連絡先およびその他の個人情報を受け取る。
【００４５】
連絡先やその他の個人情報の交換が必要な場合は、ユーザーＢの連絡先やその他の個人情報をユーザーＣに転送した後、サーバーは連絡先およびその他の個人情報をユーザーＢに転送する確認または拒否を含む要求をユーザーＣに送信する。
【００４６】
ユーザーＣが連絡先およびその他の個人情報をユーザーＢに転送することに同意しない場合、ユーザーＣは要求を拒否する, ユーザーＣが連絡先やその他の個人情報をユーザーＢに転送する準備ができている場合、ユーザーＣは連絡先やその他の個人情報をユーザーＢに転送することを確認する。ユーザーＣが連絡先およびその他の個人情報の転送を確認した後、ユーザーＢはサーバーから連絡先およびユーザーＣのその他の個人情報を受け取る。したがって、知人を介したユーザーの連絡先の交換が可能である。
【００４７】
連絡先およびその他の個人情報の転送の確認または拒否の要求は、サーバーだけでなく、たとえば送信する必要のある連絡先やその他の個人情報を含むデバイスによっても実行できる。
【００４８】
上記のリクエストの例に基づいて、サーバーがユーザーＢに対して作成した、ユーザーＣの連絡先やその他の個人情報の転送を確認または拒否のリクエストはユーザーＡのモバイルデバイスでも作成されることも可能である。
【００４９】
ユーザーＢによる転送を確認した後、サーバーの参加なしで、ユーザーＡのモバイルデバイスからユーザーＣのモバイルデバイスへの何れかの通信方法および認証の手段により、ユーザーＢの連絡先およびその他の個人情報または生体認証データをユーザーＣのモバイルデバイスに直接転送する。
【００５０】
たとえば、wi-fi（登録商標）、Bluetooth（登録商標） などを使用して、ユーザーＢ又はユーザーＡモバイルデバイスの一つを使用して、ユーザーＣのモバイルデバイスに連絡先やその他の個人情報の交換のリクエストを送信し、ユーザーＣの連絡先やその他の個人情報または生体認証データをユーザーＢも受信できる。
【００５１】
生体認証データがモバイルデバイスに転送された場合、上記のデータを受信したモバイルデバイスは、登録ユーザーの連絡先およびその他の個人情報が保存されているサーバーに対して、生体認証データにあたるユーザーの連絡先およびその他の個人情報を取得するよう要求する。
【００５２】
これらの例では、連絡先やその他の個人情報の交換は、参加者がお互いに関する連絡先やその他の個人情報を受け取ることを意味する。連絡先およびその他の個人情報の転送とは、１人のユーザーのみが上記の情報を受け取ることを意味する。
【００５３】
隠された識別子（電話番号やその他のＩＤ）と連絡先の転送の確認により、ユーザーが連絡先やそれに関連する他の個人情報の転送を完全にコントロールすることが可能になる。
【００５４】
連絡先やその他の個人情報の転送に関する情報に基づいて、たとえば、どのユーザーが最も頻繁に情報を転送するかなどの、さまざまな種類の統計を作成することもできる。
【００５５】
また、ユーザー達による連絡先やその他の個人情報の転送に関する情報に基づいて、連絡先が不当に入手された場合についても把握する事も可能である。
【００５６】
たとえば、ユーザーのモバイルデバイスがハッカー攻撃を受け、登録ユーザーの連絡先およびその他の個人情報が、前述のユーザーに属する連絡先およびその他の個人情報の転送または交換に参加しなかったユーザーの手に渡った場合、サーバーは上記のユーザーの連絡先やその他の個人情報を不当に入手したユーザーを区別できるため、連絡先やその他の個人情報が盗まれたユーザーには不当に連絡先を入手したユーザーは連絡することはできない。
【００５７】
したがって、登録ユーザーの連絡先やその他の個人情報の保護を実現できる。
【００５８】
掲示板、インターネットサイト、広告を使用して連絡先を転送するには、特定の有効期限を持つ一時的な識別子を作成する。これにより、連絡先の転送を制御し、本発明の機能を拡張する。
【００５９】
たとえば、登録ユーザーがインターネットに広告を掲載したい場合、モバイルデバイスで、登録ユーザーの個人情報を保存するサーバーによって発行される一時的な識別子をアクティブにする。
【００６０】
この一時的な識別子は、１か月または数か月などの短い期間、ユーザーの特定の要求、および１時間または１日などの必要な期間に発行される。 
【００６１】
一時的な識別子を受信した後、ユーザーは広告で前述の一時的な識別子を入力する。
【００６２】
他のユーザーが広告でユーザーに連絡する場合は、一時的な識別子を使用する。たとえば、特別なダイヤルフィールドに一時的な識別子を入力するか、モバイルデバイスを使用して広告を表示する場合は、広告のリンクボタンをクリックするだけである。
【００６３】
次に、サーバーは、連絡先やその他の個人情報を転送せずにユーザーの通信を整理する。
【００６４】
したがって、一時識別子が有効になっている間はユーザーと接続できるが、一時識別子が無効となった場合は以前ユーザーとの連絡の有無に関わらずユーザーへの連絡は不可能になる。
【００６５】
必要に応じて、ユーザーは永続的な識別子の転送または交換のリクエストを送信することもでき、広告を作成したユーザーの確認後に、連絡先やその他の個人情報の転送または交換が行われる。
【００６６】
この場合、ユーザー達は、一時的な識別子が動作しなくなった後でも永続的な識別子を使用して、電話などの連絡方法で連絡する事も可能である。さらに、永続的な識別子の交換は、広告を作成したユーザーと、広告を見て一時的な識別子を使用して、広告を作成したユーザーに連絡したユーザーのどちらからも開始できる。
【００６７】
そして、恒久的な識別子の交換の確認後の相互合意により、連絡先やその他の個人情報の交換または転送が行われる。広告の関連性がなくなるとすぐに一時的な識別子を放棄することが可能になり、永続的な識別子を持たない他のユーザーは、広告を作成したユーザーと連絡を取ることができなくなる。
【００６８】
広告が掲載されるインターネットサイトは、登録済みユーザーの連絡先やその他の個人データを保存するサーバーから、一時識別子が無効になったという情報を自動的に受信し、広告を自動的に削除することもできる。
【００６９】
したがって、ユーザーのモバイルデバイスで一時識別子を削除すると、ユーザーは自分が投稿したすべての広告サイトを探す事や、不要な呼び出しを受信する必要がなくなり、これらすべてのサイトが一時識別子の有効性に関する情報を受け取り、関連性のない情報を自動的に削除する。
【００７０】
広告サイトは、これらの目的のために一定の頻度で、たとえば１時間に１回、登録ユーザーの連絡先やその他の個人データを保存するサーバーにリクエストを送信し、一時的な識別子の有効性を確認することもできる。
【００７１】
一時的な識別子の無効性の判別は、あるユーザーが広告を作成したユーザーに連絡しようとしている時にサイトにより判別されることも可能である。
【００７２】
ユーザーが登録するとき、および登録後に、ユーザーはさまざまなデータグループに自分に関する情報をグループ化できる。
【００７３】
データグループは、ユーザーが選択した自分に関する情報であり、サーバーを使用して他のユーザーに転送できる。
【００７４】
たとえば、データグループ１にはたとえばフルネームと携帯電話番号が含まれ、データグループ２にはたとえばフルネーム、電話番号、ソーシャルネットワーク識別子が含まれ、データグループ３にはたとえばフルネーム、携帯電話番号、勤め先会社、ユーザーの社内の位置付け、会社の専門分野と、それぞれのグループに様々なデータをユーザーのそれぞれの指紋に関連付けることも可能である。
【００７５】
その後、連絡先やその他の個人情報を転送するとき、転送するユーザーは相手ユーザーがどのデータグループを受信するか、対応する指紋を置く事により決定できる。
【００７６】
また、ユーザーの参加なしに開始された連絡先やその他の個人情報を転送する場合、ユーザーが転送の許可を確認すると、ユーザーはモバイルデバイスの画面に表示されるリストから転送するデータグループを選択できる。
【００７７】
サーバーに加えてデータベースは、たとえば個々のモバイルデバイス上に配置できる。組織が所有する永続的な識別子は非表示にしないことも可能であり、また一時的な識別子を１０年以上などの非常に長い期間に発行することも可能である。
【００７８】
つまり、組織は広告に永続的または一時的な識別子を使用でき、これは、モバイルデバイスのダイヤルフィールドに電話番号のように入力し、モバイルデバイスの連絡先帳に保存でき、サーバーは、組織の連絡先を連絡先帳に保存したユーザーのモバイルデバイスに会社に関する情報を提供することもできる。
【００７９】
また、組織の連絡先やその他の企業情報の転送には、モバイルデバイスのカメラから識別できるたとえばＱＲコード（登録商標）などのさまざまなコードや写真を使用できる。
【００８０】
組織では、たとえば、従業員の指紋を使用して連絡先やその他の個人情報を送信することもできる。
【００８１】
例えば、この場合は一人のユーザーの連絡先及びその他の個人情報は、右手親指の指紋に結びつき、組織の連絡先及びその他の情報は左手親指の指紋に結びつくことも可能である。
【００８２】
本発明の一実施形態では、ユーザーのモバイルデバイス上には、個々のユーザーまたは組織のそれぞれ１つの識別子のみが保存され、これはモバイルデバイス内に隠されて見ることは出来ないようにする事も可能である。
【００８３】
言い換えると、ユーザーＡは、モバイルデバイス上に１つのユーザーＢの識別子のみを保存し、ユーザーＢの他の識別子を含まない個人情報、たとえば名前、活動、趣味などの情報のみを保存させる事も可能である。
【００８４】
モバイルデバイスに保存される唯一の識別子は、ユーザーＢをサーバーに登録されている他のユーザーと区別する。
【００８５】
また、ユーザーＢのすべての識別子、携帯電話番号又はソーシャルネットワーク、インスタントメッセンジャーの識別子などは全てサーバーに保存され、サーバーはそれぞれの識別子を使用して様々なサービスで異なるユーザーを相互に接続する。
【００８６】
たとえば、ユーザーＡがユーザーＢに電話をかけたい場合、連絡先帳のモバイルデバイスでユーザーＢの通話機能を選択する。
【００８７】
ユーザーＡのモバイルデバイスは、ユーザーＢの識別子を含む要求を登録済みユーザーのデータベースを保存しているサーバーに送信する。 
【００８８】
サーバーは、モバイルデバイスから要求を送信しているユーザーＡを識別し、ユーザーＡとＢのモバイルネットワークの識別子を使用して、前述のユーザー達の接続を開始する。
【００８９】
個人情報を転送する方法を使用する場合、サーバー上でユーザーを識別子で識別し、識別れたユーザーの識別子のみを転送する、又、他の特定ユーザーをブロックした際そのユーザーからのアクセス及び通信をブロックすることもできる。
【００９０】
たとえば、ユーザーＡが連絡先やその他の個人情報が以前に送信されたユーザーＢに電話をかけられたくない場合、ユーザーＡはサーバー上のユーザーＢの自分のデータへのアクセスをブロックし、ユーザーＢはユーザーＡに連絡できなくなる。
【００９１】
ユーザーＢがユーザーＡに連絡した識別子は非表示であるため、ユーザーＢは他のモバイルデバイスまたは番号を使用してユーザーＡと通信することはできない。
【００９２】
したがって、異なる電話番号が使用されて中傷的な電話を、ユーザーが以前受けていたとしても、携帯電話番号を変更する必要はない。
【００９３】
ユーザーのソーシャルネットワーク、インスタントメッセンジャー、モバイルネットワークの識別子がモバイルデバイスに保存されている場合、ユーザーはサーバーへの要求を使用して、以前に連絡先やその他の個人情報を提供したユーザーのモバイルデバイスの連絡先帳から連絡先やその他の個人情報を削除できる。
【００９４】
組織による顧客の連絡先およびその他の個人情報の受領のため、組織のコンピューターは、たとえばユーザーの生体認証データを読み取る指紋スキャナーを設置し、これらのコンピューター上のデータベースと、登録ユーザーの連絡先およびその他の個人情報を保存するサーバーとの自動連携作業を実現する。
【国際調査報告】
2020526953.tif 000002
2020526953.tif 000003